(57)【要約】【課題】スイッチ機構を簡素化して全体の製作コストを大幅に削減できるようにした、小形で軽量の照明器具を提供する。【解決手段】ＬＥＤ１と、電池２、スイッチピース３と、これらの部材１・２・３を収容する本体ケース４とを備えている。ＬＥＤの一方の接続リード６Ｋは電池２の外面に直接に接触させる。スイッチピース３は、本体ケース４でオン位置とオフ位置とに回転変位可能に支持する。スイッチピース３には、接続リード６Ｋを電池２から分離操作する切換え片３３を設ける。スイッチピース３をオフ位置に切り換えた状態において、接続リード６Ｋを切換え片３３で非導通状態に保持する。ＬＥＤ１の接続リード６Ｋをスイッチ機構の接触端子として利用し、スイッチピース３で接続リード６Ｋを切り換え操作する。【選択図】図１
2005235405.tif 000002
【特許請求の範囲】
【請求項１】
光源となるＬＥＤ（１）と、電源となる電池（２）と、ＬＥＤ（１）と電池（２）との間の通電路を開閉するスイッチピース（３）と、これらの部材を収容する本体ケース（４）とを備えている照明器具であって、
ＬＥＤ（１）の少なくともいずれか一方の接続リード（６Ｋ）が、電池（２）の外面に直接に接触して通電路を構成しており、
スイッチピース（３）は、接続リード（６Ｋ）を電池（２）から分離操作して非導通状態に保持する切換え片（３３）を備えていて、オン位置とオフ位置とに往復変位できるよう本体ケース（４）に支持されており、
スイッチピース（３）をオフ位置に切り換えた状態において、接続リード（６Ｋ）が切換え片（３３）で非導通状態に保持されることを特徴とする照明器具。
【請求項２】
本体ケース（４）内に、操作つまみ（２６）を含むスイッチピース（３）が往復回転可能に支持されており、
ＬＥＤ（１）の一方の接続リード（６Ｋ）が、電池（２）の電池ケース（２ａ）の周面に接触し、他方の接続リード（６Ａ）が電池（２）の封口板（２ｂ）の周面に直接に接触しており、
スイッチピース（３）の少なくとも切換え片（３３）が絶縁材で形成されており、
スイッチピース（３）をオフ位置に切り換えた状態において、切換え片（３３）が接続リード（６Ｋ）を受け止めて非導通状態に保持する請求項１記載の照明器具。
【請求項３】
スイッチピース（３）に、電池（２）を収容する電池トレー（２５）が一体に形成されており、
電池トレー（２５）が、円形の底壁（２８）と、底壁（２８）の周縁に沿って立設される円弧状の周壁（２９）と、周壁（２９）の外面に突設される操作つまみ（２６）とを含み、
前記周壁（２９）の端部に、接続リード（６Ｋ）を電池（２）から分離操作する切換え片（３３）が形成されており、
電池トレー（２５）に収容した電池（２）の中心位置（Ｐ２）が、スイッチピース（３）の回転中心位置（Ｐ１）に対して偏心するよう配置されており、
スイッチピース（３）をオフ位置からオン位置へ操作するのに伴って、電池ケース（２ａ）が対応する接続リード（６Ｋ）に対して、接近移動して接触する請求項２記載の照明器具。
【請求項４】
本体ケース（４）が蓋合わせ状に接合される前ケース（４Ａ）と、後ケース（４Ｂ）とで構成されており、
スイッチピース（３）と後ケース（４Ｂ）との間に、スイッチピース（３）をオン位置とオフ位置とにおいて位置保持するためのクリック機構が設けられている請求項３記載の照明器具。
【請求項５】
本体ケース（４）が蓋合わせ状に接合される前ケース（４Ａ）と、後ケース（４Ｂ）とで構成されており、
ＬＥＤ（１）は、その発光バルブ（１ａ）が前ケース（４Ａ）に設けた照射窓（８）に嵌め込まれて移動不能に保持されており、
電池トレー（２５）の底壁（２８）が、前ケース（４Ａ）の内面に設けた複数の位置決めリブ（１４）と、後ケース（４Ｂ）の内面に設けた複数の受面（１８）とで位置決めされ、かつ往復回転可能に支持される請求項４記載の照明器具。
【請求項６】
本体ケース（４）に取付具（５）が装着されており、
本体ケース（４）と取付具（５）とが、ＬＥＤ（１）の照射中心軸と交差する軸心回りに相対回転可能に、かつ任意の回転位置において位置保持可能に連結されている請求項２記載の照明器具。
【請求項７】
前ケース（４Ａ）に、取付具（５）用の連結ボス（１１）が一体に形成されており、
取付具（５）が、指輪部（３８）と、指輪部（３８）に一体形成されて、連結ボス（１１）に外嵌連結される装着リング（３９）とを備えており、
連結ボス（１１）と装着リング（３９）との係合面に、任意の回転位置で本体ケース（４）を位置保持する節動構造が設けてある請求項６記載の照明器具。
【請求項８】
前ケース（４Ａ）、後ケース（４Ｂ）およびスイッチピース（３）のそれぞれが、熱殺菌可能なポリメチルペンテン樹脂で形成されている請求項４または５記載の照明器具。
【発明の詳細な説明】
【技術分野】
【０００１】
本発明は、手指や着衣、帽子、眼鏡などに装着した状態で使用できる、小形で軽量の照明器具に関する。
【背景技術】
【０００２】
この種の照明器具は特許文献１に公知である。そこでは、電池およびＬＥＤ（発光ダイオード）と、これらを収容するケースと、ケースに対して出し入れされるフレネルレンズなどで照明器具が構成されている。ケースにはリングを設けてあり、リング部を親指に装着することにより、親指の指先を照らすことができる。同趣旨の照明器具は、特許文献２〜４にも認められる。
【０００３】
ＬＥＤへの電流をオン、オフするスイッチに関し、特許文献５では、電池を収容する電源ユニットの上面にスライド切り換されるスイッチを備えている。この場合の照明器具は、例えば上腕部に装着される電源ユニットと、指先に装着されて照明光を発光照射する照射ユニットとで構成してあり、両ユニットがリード線で接続されている。
【０００４】
【特許文献１】特開２０００−２３５８０号公報（段落番号０００５、図１）
【特許文献２】特開平６−１８７８０２号公報（発明の詳細な説明、第２図）
【特許文献３】意匠登録第３４９３０１号公報
【特許文献４】意匠登録第１０８９９８１号公報
【特許文献５】特開平８−１３８４０３号公報（段落番号００１３、図２）
【発明の開示】
【発明が解決しようとする課題】
【０００５】
特許文献１〜４の照明器具は、いずれも照明器具を手指に装着して使用することを意図しており、照明器具の用途が限られる点に改善の余地がある。電池の無駄な消耗を防ぐ必要上、照明器具にはスイッチを設けるが、多くの場合は通電路を開閉する切換えスイッチとして構成してある。そのため、電池とＬＥＤ（または電球）とスイッチ端子とをリード線で接続する必要があり、スイッチを複数個の部品で構成する必要があることも加わって、照明器具の全体構造が複雑になり、その分だけ製作コストが高くなっている。
【０００６】
本発明の目的は、スイッチ機構を簡素化して全体コストを大幅に削減できる照明器具を提供することにある。本発明の目的は、構造が簡素化されたスイッチ機構であるにもかかわらず、通電路を確実に開閉操作してＬＥＤを確実に点滅でき、信頼性に優れた照明器具を提供することにある。
【０００７】
本発明の目的は、ＬＥＤおよび電池を収容する本体ケースが、必要に応じて手指や着衣、あるいは眼鏡などに装着固定できるし、ＬＥＤの照射中心軸を自由に変更調整できて、使い勝手の良い照明器具を提供することにある。本発明の目的は、本体ケースや取付具などを加熱消毒でき、したがって医療現場などにおいて繰り返し使用するに有利な照明器具を提供することにある。
【課題を解決するための手段】
【０００８】
本発明の照明器具は、光源となるＬＥＤ１と、電源となる電池２と、ＬＥＤ１と電池２との間の通電路を開閉するスイッチピース３と、これらの部材を収容する本体ケース４とを備えている。
【０００９】
ＬＥＤ１の少なくともいずれか一方の接続リード６Ｋは、電池２の外面に直接に接触して通電路を構成する。スイッチピース３は、接続リード６Ｋを電池２から分離操作して非導通状態に保持する切換え片３３を備えていて、オン位置とオフ位置とに往復変位できるよう本体ケース４に支持されている。スイッチピース３をオフ位置に切り換えた状態において、接続リード６Ｋが切換え片３３によって非導通状態に保持される。
【００１０】
具体的には、操作つまみ２６を含むスイッチピース３が、本体ケース４に往復回転可能に支持されおり、図１に示すようにＬＥＤ１の一方の接続リード６Ｋが、電池２の電池ケース２ａの周面に接触し、他方の接続リード６Ａが電池２の封口板２ｂの周面に直接に接触する。スイッチピース３の少なくとも切換え片３３は、絶縁材で形成する。以て、スイッチピース３をオフ位置に切り換えた状態において、切換え片３３が接続リード６Ｋを受け止めて非導通状態に保持する。
【００１１】
スイッチピース３には、電池２を収容する電池トレー２５が一体に形成されており、電池トレー２５は、円形の底壁２８と、底壁２８の周縁に沿って立設される円弧状の周壁２９と、周壁２９の外面に突設される操作つまみ２６とを含む。前記周壁２９の端部には、接続リード６Ｋを電池から分離操作する切換え片３３が形成されており、電池トレー２５に収容した電池２の中心位置Ｐ２が、スイッチピース３の回転中心位置Ｐ１に対して偏心するよう配置されている。以て、スイッチピース３をオフ位置からオン位置へ操作するのに伴って、電池ケース２ａが対応する接続リード６Ｋに対して、接近移動して接触できる。
【００１２】
本体ケース１は、蓋合わせ状に接合される前ケース４Ａと後ケース４Ｂとで構成し、図４においてスイッチピース３と後ケース４Ｂとの間には、スイッチピース３をオン位置とオフ位置とにおいて位置保持するクリック機構が設けられている。
【００１３】
ＬＥＤ１は、その発光バルブ１ａが本体ケース４の前ケース４Ａに設けた照射窓８に嵌め込まれて移動不能に保持される。電池トレー２５の底壁２８は、前ケース４Ａの内面に設けた複数の位置決めリブ１４と、後ケース４Ｂの内面に設けた複数の受面１８とで位置決めし、かつ往復回転可能に支持されている。
【００１４】
本体ケース４に取付具５が装着されており、本体ケース４と取付具５とは、ＬＥＤ１の照射中心軸と交差する軸心回りに相対回転可能に、かつ任意の回転位置において位置保持可能に連結されている。
【００１５】
図３において前ケース４Ａには、取付具５用の連結ボス１１が一体に形成されており、取付具５が、指輪部３８と、指輪部３８に一体形成されて、連結ボス１１に外嵌連結される装着リング３９とを備えている。そのうえで、連結ボス１１と装着リング３９との係合面には、任意の回転位置で本体ケース４を位置保持する節動構造を設けてある。
【００１６】
前ケース４Ａ、後ケース４Ｂおよびスイッチピース３は、それぞれ熱殺菌可能なポリメチルペンテン樹脂で形成することができる。
【発明の効果】
【００１７】
本発明では、ＬＥＤ１、電池２、およびスイッチピース３と、これらの部材を収容する本体ケース４とで照明器具を構成し、ＬＥＤ１の少なくともいずれか一方の接続リード６Ｋを電池２の外面に直接に接触させて、接続リード６Ｋこれ自体が通電路を構成するようにした。そのうえで、接続リード６Ｋをスイッチピース３で電池２から分離操作することにより、ＬＥＤ１の通電路を非導通状態に保持できるようにした。
【００１８】
つまり、接続リード６Ｋを電池２に対して接触させ、あるいは分離操作することにより、ＬＥＤ１の通電路を開閉できるようにした。このように、ＬＥＤ１の接続リード６Ｋをスイッチ機構の接触端子として利用し、スイッチピース３で切り換え操作するスイッチ機構によれば、従来のスイッチ機構に比べて、スイッチ全体の構造を著しく簡素化して照明器具の全体コストを大幅に削減できるうえ、照明器具において故障の大半を占める接触不良を一掃して、照明器具の信頼性が向上する。
【００１９】
本体ケース４にスイッチピース３を往復回転可能に支持し、スイッチピース３をオフ位置に切り換えた状態において、切換え片３３が接続リード６Ｋを受け止めて非導通状態に保持するスイッチ構造によれば、例えば照明器具を床面に落として大きな衝撃を受ける場合にも、接続リード６Ｋが電池ケース２ａの周面に接触するのを切換え片３３で確実に防止でき、構造が簡単であるにもかかわらず、信頼性に優れたスイッチ構造が得られる。ＬＥＤ１の接続リード６Ａ・６Ｋを電池２の封口板２ｂの周面に直接接触させると、接続リード線を省略できるので、照明器具の構造をさらに簡素化するうえ、組み立てに要する手間を軽減できることも加わって、照明器具の全体コストをさらに削減できる（請求項２）。
【００２０】
スイッチピース３に電池トレー２５を一体に形成し、電池トレー２５に収容した電池２の中心位置Ｐ２をスイッチピース３の回転中心位置Ｐ１に対して偏心配置することにより、スイッチピース３をオン位置へ操作する際に、電池ケース２ａが対応する接続リード６Ｋに対して接近移動して接触できるようにしたスイッチ構造によれば、接続リード６Ｋの位置や姿勢に多少のばらつきがあっても、電池ケース２ａと接続リード６Ｋとを電気的に確実に接触させて、適正な導通状態を得ることができ、構造が簡素化されたスイッチ機構であるにもかかわらず、通電路を確実に開閉操作してＬＥＤを確実に点滅できる、信頼性に優れた照明器具が得られる。また、スイッチピース３に電池トレー２５を一体に形成し、その周壁２９に操作つまみ２６と切換え片３３とを設けてあると、スイッチ構造、および電池トレー２５を設けることによる部品点数の増加を防止して、照明器具をさらに安価に提供できる（請求項３）。
【００２１】
スイッチピース３と後ケース４Ｂとの間に、スイッチピース３をオン位置とオフ位置とにおいて位置保持するクリック機構が設けられていると、使用者の明確な意図がない限りは、スイッチピース３を切り換え操作できないので、誤ってスイッチピース３がオン操作されてＬＥＤ１が不用意に点灯されたり、電池２がいたずらに消耗したり、あるいはスイッチピース３が他物との衝突でオフ状態に切り換わってＬＥＤ１が消灯したりするのを確実に防止できる（請求項４）。
【００２２】
蓋合わせ状に接合される前ケース４Ａと後ケース４Ｂとで本体ケース１を構成し、電池トレー２５の底壁２８が、前ケース４Ａの内面に設けた複数の位置決めリブ１４と、後ケース４Ｂの内面に設けた複数の受面１８とで位置決めされ、ＬＥＤ１の発光バルブ１ａを前ケース４Ａに設けた照射窓８に嵌め込んで移動不能に固定保持する照明器具によれば、前後ケース４Ａ・４Ｂを単に嵌合装着するだけで、前ケース４Ａに装着される接続リード６Ｋと、後ケース４Ｂに装着される電池２とが、適正に位置決めした状態下で接触するので、組み立てをより少ない手間で行える。そのうえで、接続リード６Ｋと電池２とを適正に接続できる。複数の位置決めリブ１４と、複数の受面１８とで電池トレー２５の底壁２８を支えることにより、スイッチピース３の全体を往復回転可能に支持するので、スイッチピース３の回転中心位置Ｐ１が本体ケース４の内部においてばらつくことがなく、その分だけスイッチ構造の信頼性をさらに向上する（請求項５）。
【００２３】
本体ケース４と、これに装着した取付具５とが、ＬＥＤ１の照射中心軸と交差する軸心回りに相対回転可能に、かつ任意の回転位置において位置保持可能に連結された照明器具によれば、ＬＥＤ１の照射中心軸の向きを変更調整して必要部位を照明し、さらにその位置を保持できるので、必要部分のみを集中的に照明することができ、照明器具の使い勝手を向上できる。例えば図７に示すように、照明器具を手指に装着する取付具５の場合には、取付具５を指先に装着したのち、本体ケース４の姿勢を変更するだけで、対象個所をＬＥＤ１で集中的に照らすことができ、開放された両方の手で効率良く作業が行える（請求項６）。
【００２４】
指輪部３８と装着リング３９とで取付具５を構成し、前ケース４Ａの連結ボス１１と、連結ボス１１に外嵌連結される装着リング３９との係合面に、任意の回転位置で本体ケース４を位置保持する節動構造が設けられていると、連結ボス１１まわりに回転変位した本体ケース４を、変位位置においてさらに確実に位置保持でき、誤って他物が本体ケース４に衝突するような場合でも、ＬＥＤ１の照射方向がずれ動くのを確実に防止できる（請求項７）。
【００２５】
前ケース４Ａ、後ケース４Ｂおよびスイッチピース３が、それぞれ耐熱性に優れた熱殺菌可能なポリメチルペンテン樹脂で形成されていると、本体ケース４などを加熱消毒でき、例えば照明器具を歯科医療で用いる場合に、本体ケース４などに付着した細菌やウィールスによって他の患者が２次感染するのを防ぐことができ、医療現場などにおいて安全に繰り返し使用する照明器具に適している（請求項８）。
【発明を実施するための最良の形態】
【００２６】
図１ないし図７は本発明に係る照明器具の実施例を示す。図１ないし図３において照明器具は、光源となるＬＥＤ（発光ダイオード）１と、ＬＥＤ１に駆動電流を供給する２個の電池２と、ＬＥＤ１と電池２との間の通電路を開閉してオン状態とオフ状態とに切り換えるスイッチピース３と、これらの部材を収容する本体ケース４と、本体ケース４に装着される取付具５とを備えている。
【００２７】
ＬＥＤ１は、砲弾型の発光バルブ１ａを備えた高輝度白色ＬＥＤからなり、その基端に正負の接続リード６Ａ・６Ｋを突設してある。電池２はボタン型のリチウム電池からなり、その電池ケース２ａが負極側の出力端子を兼ね、封口板２ｂが正極側の出力端子を兼ねる。
【００２８】
図２および図３において本体ケース４は、前後に分割された前ケース４Ａと後ケース４Ｂとを蓋合わせ状に接合して構成してあり、平面形状が奥歯の断面形状を模した形状で、上下面が平坦な中空ケースからなる。前ケース４Ａは概ね模擬歯の歯根部分を形成し、後ケース４Ｂが歯冠部分を形成する。
【００２９】
前ケース４Ａは、後ろ向きに開口する中空ケースからなり、その前部中央の凹みにＬＥＤ１を装着するための照射窓８が開口しており、その内面にＬＥＤ１の発光バルブ１ａを位置決め支持する筒壁９が後ろ向きに突設されている。
【００３０】
前ケース４Ａの開口縁の内面には、後ケース４Ｂに外嵌接合する嵌合壁１０が形成されており、開口縁の下面側に取付具５用の連結ボス１１が一体に形成されている。連結ボス１１の突端前後には、取付具５の分離を阻止するための、周縁が部分円弧状のフランジ１２が張り出し形成されており（図３参照）、その基端部中央に臨む連結ボス１１の周面に縦リブ１３を突設してある。縦リブ１３の機能は後述する。前ケース４Ａの底壁内面の左右には、後述する電池トレー２５を押さえ保持する位置決めリブ１４が突設されている（図１および図４参照）。
【００３１】
後ケース４Ｂは、前向きに開口する中空ケースからなり、図２および図４に示すごとくその後部中央にスイッチピース３の操作つまみ２６を露出させるための操作窓１７が開口しており、操作窓１７の開口内面の左右に、先の位置決めリブ１４と協同して電池トレー２５を位置決め保持する左右一対の受面１８が形成されている。後ケース４Ｂの開口縁の外面には、前ケース４Ａに内嵌接合する嵌合壁１９を形成してある。
【００３２】
前ケース４Ａと後ケース４Ｂとの上下の嵌合壁１０・１９には、互いに係合して両ケース４Ａ・４Ｂを分離不能に固定保持する係合突起２０と、係合穴２１とが形成されている。図３において係合突起２０は、後ケース４Ｂの嵌合壁１９に、係合穴２１は前ケース４Ａの嵌合壁１０にそれぞれ形成する。後ケース４Ｂの上下壁の間隔は、２個の電池２を上下に重ねたときの上下高さ寸法と同じか、これより僅かに小さく寸法設定する、電池２の封口板２ｂと接続リード６Ａとを確実に接触させるためである。
【００３３】
スイッチピース３は、電池２を収容するための電池トレー２５と、操作つまみ２６と、切換え片３３とを一体に備えている。電池トレー２５は円形の底壁２８と、底壁２８の周縁に沿って立設される優弧状の周壁２９とで構成してあり、その底壁２８にＬＥＤ１の正極側の接続リード６Ａを受け入れる鼓状の凹部３０が形成されている。
【００３４】
操作つまみ２６は、周壁２９の外面後側に突設する。２個の電池２は周壁２９と底壁２８とで囲まれる空間に、それぞれの封口板２ｂが底壁２８の側を向く状態、つまり直列接続状態で上下に重ねて収容する。この収容状態において、各電池２の周面は周壁２９の端部間に形成される開放口３１を介して露出しており、後述するように、開放口３１に臨む上段側の電池２の周面にＬＥＤ１の負極側の接続リード６Ｋが接触する。
【００３５】
先の開放口３１に臨む周壁２９のうち、図４に向かって下側の周壁端には、他の周壁部分より低い段部３２を形成してある（図３参照）。開放口３１に臨む上側の周壁端の外面には、くさび状の切換え片３３が形成されており、さらに周壁２９の基端に正極側の接続リード６Ａとの接当干渉を避ける逃げ溝３４が形成されている。段部３２は、負極側の接続リード６Ｋの先端下面を受け止めて、接続リード６Ｋが下側の電池２の周面に接触するのを防ぐ。
【００３６】
スイッチピース３をオフ位置（図１に示す状態）からオン位置（図４に示す状態）へ切り換え操作するとき、負極側の接続リード６Ｋと電池ケース２ａの周面との接触状態を確実なものとし、常に安定した状態でＬＥＤ１を点灯できるようにするために、図５に示すように、電池２の中心位置Ｐ２はスイッチピース３の回転中心位置Ｐ１から偏心している。
【００３７】
具体的には、図５にごとくスイッチピース３がオフ位置にあるとき、周壁２９と底壁２８とで囲まれる空間の中心位置Ｐ２、つまり電池２の中心位置Ｐ２を、底壁２８の円中心位置Ｐ１、つまりスイッチピース３の回転中心位置Ｐ１に対して、時計文字盤の８時の方向に偏心させてある。
【００３８】
上記のように、電池２の中心位置Ｐ２がスイッチピース３の回転中心位置Ｐ１に対して偏心していると、スイッチピース３を反時計回転方向へ回転操作してオン操作するとき、想像線で示すように電池２を接続リード６Ｋへ向かって接近移動させて、接続リード６Ｋに圧接できる。さらに、くさび状の切換え片３３が接続リード６Ｋと電池ケース２ａとの間から退避することにより、接続リード６Ｋが自己の弾性で電池ケース２ａに接近する向きに揺動する。
【００３９】
したがって、スイッチピース３をオン位置に変位操作した状態では、接続リード６Ｋと電池ケース２ａとを電気的に確実に接触させて、ＬＥＤ１を点灯させることができる。照明器具が落下衝撃を受けるような場合にでも、接続リード６Ｋが接触不良に陥ることはなく、安定した接触状態が得られる。
【００４０】
オン位置あるいはオフ位置へ切り換えたスイッチピース３を位置保持するために、電池トレー２５の底壁と、操作窓１７に臨む後ケース４Ｂの内底壁との間に、クリック機構が設けられている。図４においてクリック機構は、後ケース４Ｂの内底壁に形成したリブ状の突起３５と、電池トレー２５の底壁に形成した左右一対の係合凹部３６とからなり、スイッチピース３を切り換え操作するとき、左右の係合凹部３６に隣接配置したリブ３７が突起３５を乗り越えることによりクリック感を生じさせる。
【００４１】
取付具５は、丸フック状の指輪部３８と、指輪部３８の上端に形成される水平の装着リング３９とを一体に備えており、装着リング３９を連結ボス１１に外嵌連結することにより本体ケース４と一体化される。図６において装着リング３９には、鍵穴状の連結穴４０を形成してあり、その内面の円弧部分に限って節動突起４１を連続波形に形成してある。この節動突起４１と、連結ボス１１の前後周面に設けた縦リブ１３とによって、本体ケース４を任意の回転位置で位置保持する節動構造を構成している。詳しくは、節動突起４１を乗越える毎に、縦リブ１３が隣接する節動突起４１間の凹部に落ち込んで、本体ケース４を遊動不能に位置保持する。
【００４２】
スイッチピース３、前ケース４Ａ、後ケース４Ｂ、および取付具５は、いずれも耐熱性と、耐薬品性に富み、オートクレープで滅菌処理できるポリメチルペンテン樹脂（ＴＰＸ樹脂＝登録商標）で形成してある。例えば、照明器具を歯科医療で用いた後に、本体ケース４などに付着した細菌やウィールスによって他の患者が２次感染するのを防ぐためである。
【００４３】
上記構成の照明器具は、以下の手順で組み立てる。まず、電池トレー２５に２個の電池２を装填したうえで、スイッチピース３を後ケース４Ｂ内に差し込んで、操作つまみ２６を操作窓１７から露出させる。
【００４４】
次に、正極側の接続リード６Ａを電池トレー２５の底壁２８に設けた凹部３０に差し込んで封口板２ｂと接触させ、負極側の接続リード６Ｂを上側の電池ケース２ａの周面に臨ませる。このとき接続リード６Ｂの端部は段部３２で受け止められ、さらに後ケース４Ｂの側壁によって仮組み状態を保持できる。この状態で、ＬＥＤ１の発光バルブ１ａを筒壁９に嵌め込みながら、前ケース４Ａの嵌合壁１０を、後ケース４Ｂの嵌合壁１９に外嵌装着し、両嵌合壁１０・１９に設けた係合突起２０と係合穴２１とを互いに係合させる。
【００４５】
上記のように前後ケース４Ａ・４Ｂを嵌合した状態においては、図４に示すように電池トレー２５の底壁２８の周縁の前後４箇所が、位置決めリブ１４と受面１８によって位置決め挟持され、スイッチピース３の全体が往復回転可能に支持されている。さらに、発光バルブ１ａの基端に張り出したフランジ壁１ｂが筒壁９の端部で受け止められて、発光バルブ１ａが前後に位置決めされる。
【００４６】
このとき、負極側の接続リード６Ｋは、自己の弾性によって上側の電池ケース２ａの周面に接触している。スイッチピース３、前ケース４Ａ、後ケース４Ｂ、および取付具５を加熱消毒する場合には、上記の逆の手順で各部材を分解して、ＬＥＤ１と電池２とを取り外すことができる。
【００４７】
照明器具を使用するときは、操作つまみ２６をオフ位置からオン位置に変位操作してＬＥＤ１を点灯させた状態で、例えば図７に示すように取付具５の指輪部３８を指先に装着し、指輪部３８を指の周りに動かして、あるいは本体ケース４を取付具５に対して回転操作して、ＬＥＤ１の照射方向を所望の位置および方向に調整し、指向性の強い照明光を局部的に集中させる。使用後には、操作つまみ２６を図に示すオフ位置に変位操作してＬＥＤ１を消灯すればよい。
【００４８】
スイッチピース３の操作つまみ２６をオン位置からオフ位置に変位操作すると、図４において、切換え片３３が時計回転方向へ回転して、接続リード６Ｋと電池ケース２ａとの間にもぐりこみ、接続リード６Ｋを電池ケース２ａから分離操作して図１に示すような非導通状態に保持する。このとき、接続リード６Ｋは弾性変形している。したがって、先に説明したようにスイッチピース３を再びオン位置へ操作すると、接続リード６Ｋは弾性変形した分だけ電池２に接近できる。
【００４９】
図８はスイッチ構造を変更した本発明の別実施例を示しており、先の実施例とは逆の姿勢で電池２を電池トレー２５に装填し、封口板２ｂに接触する正極側の接続リード６Ａを、前後に往復スライドするスイッチピース３でオフ操作できるようにした。
【００５０】
接続リード６Ａの先端は逆へ字状に折り曲げてあり、この折り曲げ部分が封口板２ｂに弾性的に接触している。スイッチピース３を、図７に示す位置からケース前方へスライド操作すると、切換え片３３が接続リード６Ａと封口板２ｂとの間にもぐりこんで、接続リード６Ａを非導通状態に保持する。スイッチピース３を逆向きにスライド操作すると、接続リード６Ａは自己の弾性で復帰変位して封口板２ｂに圧設する。他は先の実施例と実質的に同じであるので、同等の部材に同じ符号を付してその説明を省略する。
【００５１】
上記の実施例から理解できるように、切換え片３３で操作する対象は、正極と負極とのいずれの接続リード６Ａ・６Ｋであってもよい。さらに、スイッチピース３は、オン位置とオフ位置との間を往復スライドして形態であってもよい。
【００５２】
取付具５は、クリップ状に形成することができ、その場合にはシャツのポケットや、帽子の鍔などに照明器具を取り付けることができる。必要に応じて取付具５は、眼鏡のテンプル部分に照明器具を装着できるようにしてもよい。雌雄一対の面ファスナーで取付具５を構成し、その一方を本体ケース４に、他方を装着したい個所にそれぞれ固定することができる。
【００５３】
上記の実施例以外に、接続リード６Ｋ（または６Ａ）を電池２に対してばねで圧接付勢する場合には、電池２の中心位置Ｐ２とスイッチピース３の回転中心位置Ｐ１とを同じ位置に設けることができる。電池トレー２５は省くことができる。ＬＥＤ１は砲弾型のＬＥＤである必要はなく、たとえばＬＥＤ本体の内部に反射ミラーを備えていて、砲弾型のＬＥＤに比べて２倍以上の発光効率を発揮できるＬＥＤ（例えば、オムロン電子社のＤＲ−ＬＥＤ）を適用できる。電池２の使用個数は２個である必要はなく、１個あるいは３個以上であってもよい。さらに、その構造はボタン型以外の電池構造であってもよい。
【図面の簡単な説明】
【００５４】
【図１】照明器具の横断平面図
【図２】照明器具の縦断側面図
【図３】照明器具の分解斜視図
【図４】スイッチピースをオン位置に切り換えた状態の照明器具の横断平面図
【図５】スイッチピースの切り換え動作を示す説明図
【図６】図２におけるＡ−Ａ線断面図
【図７】照明器具の使用例を示す斜視図
【図８】スイッチ構造の別実施例を示す縦断側面図
【符号の説明】
【００５５】
１  ＬＥＤ
１ａ  発光バルブ
２  電池
２ａ  電池の電池ケース
２ｂ  電池の封口板
３  スイッチピース
４  本体ケース
４Ａ  前ケース
４Ｂ  後ケース
５  取付具
６Ａ  他方の接続リード
６Ｋ  一方の接続リード
８  照射窓
１１  連結ボス
１４  位置決めリブ
１８  受面
２５  電池トレー
２６  操作つまみ
２８  電池トレーの底壁
２９  電池トレーの周壁
３３  切換え片
３８  指輪部
３９  装着リング
Ｐ１  スイッチピースの回転中心位置
Ｐ２  電池の中心位置
【図１】
2005235405.tif 000003
【図２】
2005235405.tif 000004
【図３】
2005235405.tif 000005
【図４】
2005235405.tif 000006
【図５】
2005235405.tif 000007
【図６】
2005235405.tif 000008
【図７】
2005235405.tif 000009
【図８】
2005235405.tif 000010